(57)【特許請求の範囲】
【請求項１】
装飾体を吊り下げて鑑賞するモビールであって、装飾体を吊り下げるためのチューブと、チューブの一端に接続されるポンプと、チューブの他端に接続されて装飾体に固定されるシリンダーと、シリンダーに差し込まれたピストンとを備えており、ポンプからチューブを介してシリンダーに流体を出し入れすることでピストンを往復運動させることにより、装飾体の重心を水平方向に往復移動させて該装飾体をチューブに対して揺動させることを特徴とするモビール。
【請求項２】
装飾体に形成された上方へ開口する通孔にチューブが通されており、通孔はチューブの外径よりも大きな内径を有している請求項１記載のモビール
【請求項３】
装飾体に形成された通孔の開口が凹部と凸部とを交互に繰り返した形状に形成されており、装飾体を揺動させた際に通孔の開口を構成するいずれかの凸部の先端に接触したチューブが該凸部と隣り合ういずれか一方の凹部に嵌り込む請求項２記載のモビール。
【請求項４】
ピストンの往復運動に伴って装飾体の重心が、垂直方向に伸びるチューブの軸線と通孔の中心線とを含む平面と交差する方向に移動するようになっており、装飾体を揺動させた際に通孔の開口にチューブが接触する請求項２記載のモビール。
【発明の詳細な説明】
【技術分野】
【０００１】
本発明は、モビールに関するものである。
【背景技術】
【０００２】
周知のとおり、古くから観賞用のインテリアとしてモビールと呼ばれるものがある。モビールは、紙やプラスチックなどからなる薄板状の装飾部材を糸によって天井から吊るし、装飾部材が風などの外力を受けることによって揺れ動く様を楽しむものが一般的であるが、更に複雑な動きを再現できるように装飾部材に改良を施したモビールが多数考案されている。
【０００３】
例えば、後述特許文献１には、ゴムまたは合成樹脂の母体の尾部を切断して尾孔を設けこれに内端へ重錘を附した尾翼羽根を基部に接近せる部分において尾翼羽根がほぼ水平を保つ状態に糸で吊下して設け、母体の両側面にはＬ形に屈曲した弱い発条の一端を接着し他端には両翼片を取着振動自由に設けさらに小鳥の口元には下部の嘴を軸で支承し該嘴の内端には適度にバランスを取る為の重錘を附加し嘴を開閉自由に設けかつ母体の背中にスプリングを附着して成る小鳥玩具が開示されている。
【０００４】
また、後述特許文献２には、金魚等の魚の外観形状をした提灯において、該提灯本体の内部中空部に、左右鰭該当部を上下動させる左右鰭作動片部と、尾鰭該当部を左右動させる尾鰭作動片部、および該両作動片部を作動させる駆動部を設け、該駆動部の出力軸に偏心ローラーを設け、該偏心ローラーを介して該両作動片部を作動させることを特徴とする金魚等の魚の外観形状をした提灯が開示されている。
【先行技術文献】
【特許文献】
【０００５】
【特許文献１】実公昭３７−９５７３号公報
【特許文献２】実用登録第３０１３８５５号公報
【発明の概要】
【発明が解決しようとする課題】
【０００６】
しかし、特許文献１に係る小鳥玩具は、小鳥が羽ばたく動きを再現しようとするものであり、小鳥の上下方向の振幅度合いで翼の羽ばたきの強弱が変化するが、単調な動きしか再現できないため、鑑賞者に飽きが生じるという問題点があった。
【０００７】
一方、特許文献２に係る提灯は、偏心ローラーによって左右鰭該当部及び尾鰭該当部を作動させているため、偏心ローラーの回転に伴う単調な動きしか再現できないため、鑑賞者に飽きが生じるという問題点があった。
【０００８】
また、両特許文献に係る発明は、いずれも風などの外力が加わったとしても該外力の影響を殆ど受けることなく略一定の動作しかできないものであった。
【０００９】
そこで、本発明者は、複雑な動きを再現することができるモビールを得ることを技術的課題として、その具現化をはかるべく、試行錯誤的に実験を重ねた結果、装飾体を吊り下げて鑑賞するモビールにおいて、装飾体を吊り下げるためのチューブと、チューブの一端に接続されるポンプと、チューブの他端に接続されて装飾体に固定されるシリンダーと、シリンダーに差し込まれたピストンとを備えるように構成し、ポンプからチューブを介してシリンダーに流体を出し入れすることでピストンを往復運動させることにより、装飾体の重心を水平方向に往復移動させて該装飾体をチューブに対して揺動させれば、ピストンの往復運動に伴う重心の移動を利用して装飾体を揺動させているため、風などの外力が加わることにより、装飾体が外力の影響を受けた揺動動作を行うという刮目すべき知見を得、前記技術的課題を達成したものである。
【課題を解決するための手段】
【００１０】
前記技術的課題は、次の通りの本発明によって解決できる。
【００１１】
すなわち、請求項１に係る発明のモビールは、装飾体を吊り下げて鑑賞するモビールであって、装飾体を吊り下げるためのチューブと、チューブの一端に接続されるポンプと、チューブの他端に接続されて装飾体に固定されるシリンダーと、シリンダーに差し込まれたピストンとを備えており、ポンプからチューブを介してシリンダーに流体を出し入れすることでピストンを往復運動させることにより、装飾体の重心を水平方向に往復移動させて該装飾体をチューブに対して揺動させるものである。
【００１２】
また、請求項２に係る発明のモビールは、前記請求項１に係る発明のモビールにおいて、装飾体に形成された上方へ開口する通孔にチューブが通されており、通孔はチューブの外径よりも大きな内径を有しているものである。
【００１３】
また、請求項３に係る発明のモビールは、前記請求項２に係る発明のモビールにおいて、装飾体に形成された通孔の開口が凹部と凸部とを交互に繰り返した形状に形成されており、装飾体を揺動させた際に通孔の開口を構成するいずれかの凸部の先端に接触したチューブが該凸部と隣り合ういずれか一方の凹部に嵌り込むものである。
【００１４】
また、請求項４に係る発明のモビールは、前記請求項２に係る発明のモビールにおいて、ピストンの往復運動に伴って装飾体の重心が、垂直方向に伸びるチューブの軸線と通孔の中心線とを含む平面と交差する方向に移動するようになっており、装飾体を揺動させた際に通孔の開口にチューブが接触するものである。
【発明の効果】
【００１５】
本発明によれば、ピストンの往復運動に伴う重心の移動を利用して装飾体を揺動させているため、鑑賞者が飽きることなく長時間鑑賞することができる。
【００１６】
従って、本発明の産業上利用性は非常に高いといえる。
【図面の簡単な説明】
【００１７】
【図１】実施の形態１に係るモビールを示した斜視図である。
【図２】図１に示すモビールの一方の第三柱材を示した断面図である。
【図３】図１に示すモビールの両第三柱材を示した平面図である。
【図４】実施の形態１に係るモビールの動作を示した説明図である。
【図５】実施の形態２に係るモビールにおける通孔の開口を示した平面図である。
【図６】実施の形態３に係るモビールを前後方向から目視した状態を示した説明側面図である。
【図７】実施の形態３に係るモビールを上下方向から目視した状態を示した説明平面図である。
【図８】実施の形態４に係るモビールにおける通孔の開口を示した平面図である。
【発明を実施するための形態】
【００１８】
以下、本発明の実施の形態を説明する。
【００１９】
実施の形態１．
【００２０】
本実施の形態に係るモビール１は、図１に示すように、複数の角柱状の柱材を連結してなる立方体状の装飾体２と、装飾体２を吊り下げるためのチューブ３と、チューブ３の一端に接続されるポンプ４と、チューブ３の他端に接続されて装飾体２に固定されるシリンダー５（図２参照）と、シリンダー５に対して往復運動するように差し込まれたピストン６とを備えている。
【００２１】
装飾体２は、１８本の角柱状の柱材を連結することによって立方体状に形成されている。角柱状の柱材は、立方体の各辺に当たる位置に配置される１２本の第一柱材７と、１２本の第一柱材７によって形成された立方体を上下に二分割するように該立方体の周面に沿って配置される４本の第二柱材８と、４本の第二柱材によって形成された正方形を四分割するように配置される２本の第三柱柱９，１０とから構成されており、当該２本の第三柱材９，１０のうちで一方の第三柱材９にはシリンダー５が固定されている。
【００２２】
一方の第三柱材９は、図２及び図３に示すように、中空状に形成されており、中空を収納部１１としている。また、一方の第三柱材９の中央には、上方へ開口して収納部１１へと貫通する円筒状の通孔１２が形成されている。収納部１１には、通孔１２を挟んで一方側にシリンダー５が固定されていると共に、他方側に装飾体５の重心を調整するためのバランスウエイト１３が固定されている。
【００２３】
ポンプ４に一端が接続されたチューブ３の他端は、一方の第三柱材９に形成された通孔１２から収納部１１へと通されて該収納部１１に固定されたシリンダー５に接続されている。なお、チューブ３における通孔１２の上方の開口１４を通過する部分は、通孔１２に対して固定されていないが、チューブ３における通孔１２の下方の開口１５を通過する部分は、リング１６によって該開口１５の中央に位置するように固定されている。
【００２４】
ポンプ４は、チューブ３を介してシリンダー５内に気体や液体などの流体を出し入れできるものであればよく、具体的には、コンプレッサーを使用すればよい。
【００２５】
そして、装飾体２の重心は、シリンダー５からピストン６を所定長さ引き出した状態において、垂直方向に向けられた通孔１２の中心線上に位置するように調整されている。従って、シリンダー５からピストン６を所定長さ引き出した状態において、装飾体２をチューブ３によって吊り下げると、装飾体２の上面及び下面が水平に保たれる。
【００２６】
次に、本実施の形態に係るモビール１の動作について説明する。
【００２７】
先ず、シリンダー５からピストン６を所定長さ引き出した状態で装飾体２をチューブ３によって吊り下げると、図４の（ａ）に示すように、装飾体２は上面及び下面を水平に保った状態で静止する。
【００２８】
次に、ポンプ４によってシリンダー５内に流体を送り込むと、図４の（ｂ）に示すように、ピストン６がシリンダー５から引き出される方向へ移動してシリンダー５からピストン６が前記所定長さよりも長く引き出された状態となり、これに伴って装飾体２の重心が該装飾体２を吊り下げるチューブ３の軸線上からピストン６の移動方向と同じ方向へと移動し、装飾体２が重心の移動した方向へと傾いて前方（図４の（ｂ）中、矢印方向）へと揺動する。
【００２９】
次に、ポンプ４によってシリンダー５内から流体を抜き出すと、図４の（ｃ）に示すように、ピストン６がシリンダー５に引き込まれる方向へ移動してシリンダー５からピストン６が前記所定長さ引き出された状態に戻り、これに伴って装飾体２の重心が該装飾体２を吊り下げるチューブ３の軸線上へ移動し、装飾体２が上面及び下面を水平に戻すように後方（図４の（ｃ）中の矢印方向）へと揺動する。
【００３０】
次に、ポンプ４によってシリンダー５内から更に流体を抜き出すと、図４の（ｄ）に示すように、ピストン６がシリンダー５に更に引き込まれる方向へ移動してシリンダー５からピストン６が前記所定長さよりも短く引き出された状態となり、これに伴って装飾体２の重心が該装飾体２を吊り下げるチューブ３の軸線上からピストン６の移動方向と同じ方向へと移動し、装飾体２が重心の移動した方向へと傾いて後方（図４の（ｄ）中、矢印方向）へと揺動する。
【００３１】
次に、ポンプ４によってシリンダー５内に流体を送り込むと、図４の（ａ）に示すように、ピストン６がシリンダー５から引き出される方向へ移動してシリンダー５からピストン６が前記所定長さ引き出された状態に戻り、これに伴って装飾体２の重心が該装飾体２を吊り下げるチューブ３の軸線上へ移動し、装飾体２が上面及び下面を水平に戻すように前方（図４の（ａ）中、矢印方向）へと揺動する。
【００３２】
そして、ポンプ４によってシリンダー５内に流体を送り込む動作と流体を抜き出す動作を繰り返すことにより、装飾体２は前記動作を繰り返して前後方向に揺動し続ける。
【００３３】
本実施の形態においては、装飾体とチューブとの接続位置を支点として、ピストンの往復運動に伴う装飾体の重心の移動によって装飾体を揺動させているため、装飾体の動きが外力の影響を受けやすく、装飾体に対してピストンの往復運動に伴う装飾体の揺動方向（前後方向）と交差する方向に外力が加わると、装飾体は前後方向への揺動と該前後方向と交差する方向への揺動とが合わさった複雑な揺動動作を行う。
【００３４】
本実施の形態においては、装飾体の形状を立方体としたが、装飾体の形状は立方体に限定されず、他の形状に形成してもよい。
【００３５】
実施の形態２．
【００３６】
本実施の形態２は前記実施の形態１における通孔の変形例である。図５において、図１〜図４と同一符号は同一又は相当部分を示している。
【００３７】
本実施の形態２に係る通孔１７は、図５に示すように、通孔１７の上方の開口１８が三つの円弧状凹部１９と三つの先細り状凸部２０を交互に繰り返して平面視三つ葉状に形成されている。また、ピストン６の往復移動によって装飾体を前後方向（図５中、矢印方向）に揺動させた際に、通孔１７の開口１８を構成するいずれかの先細り状凸部２０がチューブ３と接触するように配置されている。
【００３８】
本変形例に係る通孔１７を備えた装飾体２においては、先ず、ピストン６の往復移動によって装飾体２を前方（図５中、左方）へ傾けるように揺動させると、チューブ３が、通孔１７の開口１８を構成する先細り状凸部２０に接触した後（図５中、点線Ａ参照）、当該先細り状凸部２０の両隣に位置するいずれか一方の円弧状凹部１９に嵌り込んだ状態となる（図５中の点線Ｂ参照）。これにより、装飾体２には、ピストン６の往復移動に伴って前後方向の揺動動作が加えられると共に、チューブ３が通孔１７の開口１８を構成する先細り状凸部２０の両隣に位置するいずれか一方の円弧状凹部１９に嵌り込むことによって前後方向と交差する方向への揺動動作が加えられる。次に、ピストン６の往復移動によって装飾体２を後方（図５中、右方）へ傾けるように揺動させると、チューブ３が、装飾体を前方へ傾けるように揺動させた際に接触した先細り状凸部２０と対向するように位置付けられる円弧状凹部１９に嵌り込んだ状態となる（図５中、点線Ｃ参照）。そして、ポンプ４によってシリンダー５内に流体を送り込む動作と流体を抜き出す動作を繰り返すことにより、装飾体２は前記動作を繰り返して三次元的に揺動し続ける。
【００３９】
本実施の形態２に係る通孔においては、三つの凹部及び凸部を繰り返して開口を形成しているが、凹部及び凸部の数を四つ以上にしても同様の作用効果を得ることができる。
【００４０】
実施の形態３．
【００４１】
本実施の形態３は前記実施の形態１における装飾体の変形例であり、図６及び図７において、図１〜図４と同一符号は同一又は相当部分を示している。
【００４２】
本実施の形態に係る装飾体２１は、他方の第三柱材１０の通孔１２に対していずれか一方側にウエイト（図示せず）を取り付けることにより、図６に示すように、装飾体２１をチューブ３によって吊り下げ、かつ、シリンダー５からピストン６を所定長さ引き出した状態において、装飾体２１の重心（図６中、×印にて示す）が垂直方向に伸びるチューブ３の軸線（図６中、点線Ｘにて示す）上に位置付けられると共に、通孔１２の中心線（図６中、点線Ｙにて示す）上から外れて位置付けられる。従って、チューブ３は、図７に示すように、通孔１２の開口１４を通過する際に、通孔１２の開口１４の中心からずれた位置を通り抜ける。また、ピストン６の往復運動に伴って装飾体２１の重心は、垂直方向に伸びるチューブ３の軸線と通孔１２の中心線とを含む平面（図７中、一点鎖線にて示す）と交差する方向に移動する。
【００４３】
本実施の形態に係る装飾体２１においては、先ず、ピストン６の往復移動によって装飾体２１を前方（図７中、下方）へ傾けるように揺動させると、チューブ３が、通孔１２の開口１４における前後方向に対して浅い位置で接触した後、該通孔１２の開口１４における前後方向に対して最も深い位置まで嵌り込んだ状態となる。これにより、装飾体２１には、ピストン６の往復移動に伴って前後方向の揺動動作が加えられると共に、通孔１２の開口１４における前後方向に対して最も深い位置まで嵌り込むことによって前後方向と交差する方向への揺動動作が加えられる。次に、ピストン６の往復移動によって装飾体２１を後方（図７中、上方）へ傾けるように揺動させると、チューブ３が、通孔１２の開口１４における前後方向に対して浅い位置で接触した後、該通孔１２の開口１４における前後方向に対して最も深い位置まで嵌り込んだ状態となる。これにより、装飾体２１には、ピストン６の往復移動に伴って前後方向の揺動動作が加えられると共に、通孔１２の開口１４における前後方向に対して最も深い位置まで嵌り込むことによって前後方向と交差する方向への揺動動作が加えられる。そして、ポンプ４によってシリンダー５内に流体を送り込む動作と流体を抜き出す動作を繰り返すことにより、装飾体２１は前記動作を繰り返して三次元的に揺動し続ける。
【００４４】
実施の形態４．
【００４５】
本実施の形態４は前記実施の形態３における通孔の変形例であり、図８において、図1〜図４及び図７と同一符号は同一又は相当部分を示している。
【００４６】
本実施の形態に係る通孔２２は、図８に示すように、通孔２２の上方の開口２３が三つの釣り針状凹部２４と三つの先細り状凸部２５を交互に繰り返して平面視六つ葉状に形成されている。なお、凹部２４は、釣り針状に形成されているため、チューブ３が嵌り込む大きさの奥側に窪み２６が形成されている。
【００４７】
本実施の形態によれば、装飾体を揺動させた際に、先ず、ピストンの往復移動によって装飾体を前方（図８中、下方）へ傾けるように揺動させると、チューブが、通孔の開口における前後方向に対して浅い位置にあるいずれかの凹部に嵌り込んで該凹部の窪みに引っ掛かった状態となる。次に、ピストンの往復移動によって装飾体を後方（図８中、上方）へ傾けるように揺動させると、チューブが、前記凹部の窪みから抜け出して該凹部よりも後方側に位置する凸部と接触を繰り返しながら該通孔の開口における前後方向に対して最も深い位置にある凹部に嵌り込んだ状態となる。そして、ポンプによってシリンダー内に流体を送り込む動作と流体を抜き出す動作を繰り返すことにより、装飾体は前記動作を繰り返して三次元的に揺動し続ける。
【符号の説明】
【００４８】
１  モビール
２  装飾体
３  チューブ
４  ポンプ
５  シリンダー
６  ピストン
７  第一柱材
８  第二柱材
９  一方の第三柱材
１０  他方の第三柱材
１１  収納部
１２  通孔
１３  バランスウエイト
１４，１５  開口
１６  リング
１７  通孔
１８  開口
１９  凹部
２０  凸部
２１  装飾体
２２  通孔
２３  開口
２４  凹部
２５  凸部
２６  窪み
【図１】
0005963126.tif 000002
【図２】
0005963126.tif 000003
【図３】
0005963126.tif 000004
【図４】
0005963126.tif 000005
【図５】
0005963126.tif 000006
【図６】
0005963126.tif 000007
【図７】
0005963126.tif 000008
【図８】
0005963126.tif 000009